(57)【要約】【課題】  アース線を容易に分離することができ、配線時の施工作業性を向上し電気配線工事の負担を低減することのできるアース線付平型ケーブルを提供すること。【解決手段】  導体２に絶縁体３を被覆してなる絶縁導体４を複数本隣接して並べ、該絶縁導体４と隔離した状態にアース用導体５を互いに隔離した状態に平行に並べ、外周に絶縁シース６を被覆して一体に形成し、複数本の絶縁導体４を絶縁シース６を被覆してなる平型ケーブル７と、アース用導体５に絶縁シース６を被覆してなるアース線８とを絶縁シース６によって構成されるブリッジ部９を介して分離独立して外付けに構成し、ブリッジ部９の長さと厚さの比を略１：１に構成する。【選択図】    図  １
2006066218.tif 000002
【特許請求の範囲】
【請求項１】
導体に絶縁体を被覆してなる絶縁導体を複数本隣接して並べ、該絶縁導体と隔離した状態にアース用導体を互いに隔離した状態に平行に並べ、外周に絶縁シースを被覆して一体に形成し、前記複数本の絶縁導体に前記絶縁シースを被覆してなる平型ケーブルと、アース用導体に前記絶縁シースを被覆してなるアース線とを前記絶縁シースによって構成されるブリッジ部を介して分離独立して外付けに構成し、
前記ブリッジ部の長さと厚さの比を略１：１に構成したことを特徴とするアース線付平型ケーブル。
【請求項２】
導体に絶縁体を被覆してなる絶縁導体を複数本隣接して並べ、該絶縁導体と隔離した状態にアース用導体を互いに隔離した状態に平行に並べ、外周に絶縁シースを被覆して一体に形成し、前記複数本の絶縁導体に前記絶縁シースを被覆してなる平型ケーブルと、アース用導体に前記絶縁シースを被覆してなるアース線とを、前記絶縁シースによって構成されるブリッジ部を介して分離独立して外付けに構成し、
ブリッジ部の長さを０．３ｍｍ〜１．５ｍｍとし、ブリッジ部の厚さを０．５ｍｍ〜２．０ｍｍにしたことを特徴とするアース線付平型ケーブル。
【請求項３】
前記アース線に被覆する絶縁シースの厚さを０．６４ｍｍ〜２．０ｍｍにしたものである請求項２に記載のアース線付平型ケーブル。
【発明の詳細な説明】
【技術分野】
【０００１】
本発明は、複数の導体を互いに隔離した状態で平行に並べ外周に絶縁シースを形成してなる平型ケーブルにアース線を取り付けてなるアース線付平型ケーブルに係り、特に、アース線を容易に分離することができ、配線時の施工作業性を向上し電気配線工事の負担を低減することのできるアース線付平型ケーブルに関する。
【背景技術】
【０００２】
銅などで形成された導体４上に絶縁被覆材５が形成されて構成される３本の電力用導線２とアース用導線３とが１列に並べられ、一括して外部被覆材６で被覆するようにして形成されるＶＶＦ（ビニル絶縁ビニルシースケーブル）、ＣＶＦ（ポリエチレン絶縁ビニルシースケーブル）、ＥＭ−ＥＥＦ（ポリエチレン絶縁耐熱性ポリエチレンシースケーブル）線などのような配電用絶縁電線１は、従来から有る。そして、配線工事の作業性をよくし、配線後の安全性を確保するとともに見栄えも良くすることができ、しかも外部からみてアース用導線の位置を確認することができる絶縁電線が提案されている（たとえば、特許文献１参照）。
【０００３】
【特許文献１】実開平７−１４５１３号公報（第５頁、第１〜２図）
【発明の開示】
【発明が解決しようとする課題】
【０００４】
この特許文献１に記載される絶縁電線１０は、３本の電力用導線１２とアース用導線１４とを含み、これらの導線１２，１４は、導体１６を絶縁被覆材１８で被覆することにより形成されており、電力用導線１２とアース用導線１４とを並べ、外部被覆材２０で被覆してある。この外部被覆材２０は、断面８字状に形成されており、この外部被覆材２０によって電力用導線１２とアース用導線１４とを分離するようになっている。すなわち、特許文献１の絶縁電線１０は、外部被覆材２０が断面８字状に形成されているため、外部被覆材２０を２つに分割でき、しかも、アース用導線１４と他の導線とが外部被覆材２０で分離されているため、外部被覆材２０を有する状態で、アース用導線１４と他の導線とを分割することができるように構成されている。
【０００５】
しかしながら、特許文献１の絶縁電線１０は、外部被覆材２０が断面８字状に形成されているとはいえ、アース用導線１４と他の導線とを分割するには、相当の引き裂き荷重を要するため、電工ナイフやカッター等で必要な長さの被覆を剥がし、アース用導線１４と他の導線を分離しなければならない。また、アース線用導線１４は、外部被覆材２０を剥離して露出した後、アース用導線１４に被覆された絶縁被覆材１８の剥離するという、２回の剥離作業を行って配線しなければならず、配線に手間取るという問題を有している。
【０００６】
本発明の目的は、アース線を容易に分離することができ、配線時の施工作業性を向上し電気配線工事の負担を低減することのできるアース線付平型ケーブルを提供することにある。
【課題を解決するための手段】
【０００７】
請求項１に記載のアース線付平型ケーブルは、導体に絶縁体を被覆してなる絶縁導体を複数本隣接して並べ、該絶縁導体と隔離した状態にアース用導体を互いに隔離した状態に平行に並べ、外周に絶縁シースを被覆して一体に形成し、前記複数本の絶縁導体に前記絶縁シースを被覆してなる平型ケーブルと、アース用導体に前記絶縁シースを被覆してなるアース線とを前記絶縁シースによって構成されるブリッジ部を介して分離独立して外付けに構成し、ブリッジ部の長さと厚さの比を略１：１に構成したものである。
【０００８】
請求項２に記載のアース線付平型ケーブルは、導体に絶縁体を被覆してなる絶縁導体を複数本隣接して並べ、該絶縁導体と隔離した状態にアース用導体を互いに隔離した状態に平行に並べ、外周に絶縁シースを被覆して一体に形成し、前記複数本の絶縁導体に前記絶縁シースを被覆してなる平型ケーブルと、アース用導体に前記絶縁シースを被覆してなるアース線とを前記絶縁シースによって構成されるブリッジ部を介して分離独立して外付けに構成し、、
ブリッジ部の長さを０．３ｍｍ〜１．５ｍｍとし、ブリッジ部の厚さを０．５ｍｍ〜２．０ｍｍにして構成したものである。
【０００９】
請求項３に記載のアース線付平型ケーブルは、アース線の最外層を構成する絶縁体の厚さを０．６４ｍｍ〜２．０ｍｍにしたものである。
【発明の効果】
【００１０】
本発明によれば、アース線を容易に分離することができ、配線時の施工作業性を向上し電気配線工事の負担を低減することができる。
【発明を実施するための最良の形態】
【００１１】
本発明は、導体に絶縁体を被覆してなる絶縁導体を複数本隣接して並べ、この絶縁導体に隔離した状態に、導体によって構成されるアース線を並べ、複数本の絶縁導体の外周に絶縁シースを被覆して平型ケーブルを形成し、この平型ケーブルと、導体に絶縁シースを被覆して形成されるアース線とを、ブリッジ部を介して分離独立して外付けし、ブリッジ部の長さと厚さを同じ大きさに形成することにより実現する。
【００１２】
また、本発明は、導体に絶縁体を被覆してなる絶縁導体を複数本隣接して並べ、この絶縁導体に隔離した状態に、導体によって構成されるアース線を並べ、複数本の絶縁導体の外周に絶縁シースを被覆して平型ケーブルを形成し、この平型ケーブルと、導体に絶縁シースを被覆して形成されるアース線とを、ブリッジ部を介して分離独立して外付けし、ブリッジ部の長さを０．３ｍｍ〜１．５ｍｍとし、ブリッジ部の厚さを０．３ｍｍ〜１．５ｍｍにして構成することにより実現する。
【実施例１】
【００１３】
以下、本発明に係るアース線付平型ケーブルの実施例について、詳細に説明する。
【００１４】
図１には、本発明に係るアース線付平型ケーブルの第１の実施例を示す端面図が示されている。
【００１５】
図１において、アース線付平型ケーブル１には、導体２に絶縁体３を被覆してなる絶縁導体４が複数本（本実施例においては、３本）隣接して並べられており、この３本の絶縁導体４と、アース用導体５が絶縁導体４と隔離した状態で平行に並べられている。そして、この複数本の絶縁導体４と、この絶縁導体４と隔離した状態で絶縁導体４と平行に並べられているアース用導体５の外周に絶縁シース６を被覆して一体に形成し、複数本（本実施例においては、３本）の絶縁導体４を絶縁シース６を被覆してなる平型ケーブル７と、アース用導体５に絶縁シース６を被覆してなるアース線８とが形成されている。さらに、この平型ケーブル７とアース線８とは、絶縁シース６によって構成されるブリッジ部９によって分離独立して設けられており、このアース線８は、平型ケーブル７に対して外付けに構成されている。また、アース線８の絶縁シース６の上には、識別のためのマーキングが施してある。
【００１６】
このブリッジ部９の長さＡと厚さＢの構成上の加減は、表１に示す如き関係を有している。
【表１】
2006066218.tif 000003
【００１７】
この表１から、ブリッジ部９の長さＡは、最小値が０．３ｍｍで、最大値が１．５ｍｍである。そして、ブリッジ部９の長さＡの最適値は、０．７ｍｍである。また、ブリッジ部９の厚さＢは、最小値が０．５ｍｍで、最大値が１．５ｍｍである。そして、ブリッジ部９の厚さＢの最適値は、０．７ｍｍである。このことから、ブリッジ部９の長さＡは、０．３ｍｍ〜１．５ｍｍで構成することができ、最適値が、０．７ｍｍであることが分かる。また、ブリッジ部９の厚さＢは、０．５ｍｍ〜１．５ｍｍで構成することができ、最適値が、０．７ｍｍであることが分かる。
【００１８】
ここで、ブリッジ部９の長さＡを、０．３ｍｍ〜１．５ｍｍとしたのは、ブリッジ部９の長さＡが０．３ｍｍ以上ないと、カッターや電工ナイフで切り裂くことが難しく、ブリッジ部９の長さＡが０．３ｍｍ未満の場合は、平型ケーブル７の絶縁シース６やアース線８の絶縁シース６に切り込んでしまうことがあるからである。また、ブリッジ部９の長さＡが１．５ｍｍを超えると、連続生産した場合、ブリッジ部９のところで折曲がり、アース線８が平型ケーブル７にところどころ貼り付いてしまい、連続的に図１に図示の構造を実現できないという問題が生じるからである。さらに、ブリッジ部９の長さＡが１．５ｍｍを超えると、アース線８の絶縁シース６の厚さが０．５ｍｍであってもステップルＮｏ４（３×２．６用）に入らないからである。
【００１９】
このブリッジ部９の長さＡが１．５ｍｍを超えると、押出直後（絶縁シース６がまだ冷えていない）にアース線８の自重によってブリッジ部９が折れる。あるいは、折れて、アース線８と平型ケーブル７がくっついてそのまま成形される場合があるからである。
【００２０】
また、ブリッジ部９の厚さＢを、０．５ｍｍ〜１．５ｍｍとしたのは、ブリッジ部９の厚さＢが０．５ｍｍ以下ではアース線付平型ケーブル１を連続して生産することができず、部分部分でブリッジ部９が切れてしまう場合があるからである。そして、ブリッジ部９の厚さＢが１．５ｍｍを超えると、カッターや電工ナイフなどで切り込みを入れずに、手で引き裂こうとしても容易に引き裂くことができなくなるからである。
【００２１】
したがって、本実施例によれば、ブリッジ部９を電工ナイフやカッターを使用することなく切り裂くことができる。また、本実施例によれば、ブリッジ部９を切り裂く場合、電工ナイフやカッターを使用しないため、アース線８の絶縁シース６を傷つけることなく、絶縁シース６の形状を保つことができ、刃物を使用しないので安全である。さらに、本実施例によれば、アース線８には絶縁シース６しか被覆されていないため、１回の剥離作業でアース用導体５を露出させることができる。またさらに、本実施例によれば、アース線８の絶縁シース６の上には、識別のためのマーキングが施してあるため、外部から線心の識別を行うことができる。また、本実施例によれば、アース線８には絶縁シース６しか被覆されていないため、軽量に構成されている。
【実施例２】
【００２２】
図２には、本発明に係るアース線付平型ケーブルの第２の実施例を示す端面図が示されている。
【００２３】
図２において、アース線付平型ケーブル１０には、導体１１に絶縁体１２を被覆してなる絶縁導体１３が複数本（本実施例においては、３本）隣接して並べられており、この３本の絶縁導体１３と、アース用導体１４が絶縁導体１３と隔離した状態で平行に並べられている。そして、この複数本の絶縁導体１３と、この絶縁導体１３と隔離した状態で絶縁導体１３と平行に並べられているアース用導体１４の外周に絶縁シース１５を被覆して一体に形成し、複数本（本実施例においては、３本）の絶縁導体４を絶縁シース１５を被覆してなる平型ケーブル１６と、アース用導体１４に絶縁シース１５を被覆してなるアース線１７とが形成されている。さらに、この平型ケーブル１６とアース線１７とは、絶縁シース１５によって構成されるブリッジ部１８によって分離独立して設けられており、このアース線１７は、平型ケーブル１６に対して外付けに構成されている。また、アース線８の絶縁シース１５の上には、識別のためのマーキングが施してある。
【００２４】
このように、アース線付平型ケーブル１０は、導体１１に絶縁体１２を被覆してなる絶縁導体１３を複数本隣接して並べ、この絶縁導体１３と隔離した状態にアース用導体１４で構成されるアース線を互いに隔離した状態に平行に並べ、外周に絶縁シースを被覆して一体に形成し、前記複数本の絶縁導体を前記絶縁シースを被覆してなる平型ケーブルと、導体に前記絶縁シースを被覆してなる前記アース線とを前記絶縁シースによってブリッジ部を形成し分離独立して外付けして構成し、
導体１１に絶縁体１２を被覆してなる絶縁導体１３を複数本隣接して並べ、この絶縁導体１３と隔離した状態にアース用導体１４を互いに隔離した状態に平行に並べ、外周に絶縁シース１５を被覆して一体に形成し、複数本の絶縁導体１３に絶縁シース１５を被覆してなる平型ケーブル１６と、アース用導体１４に絶縁シース１５を被覆してなるアース線１７とを絶縁シース１５によって構成されるブリッジ部１８を介して分離独立して外付けに構成し、ブリッジ部１８の長さを０．３ｍｍ〜１．５ｍｍとし、ブリッジ部の厚さを０．５ｍｍ〜２．０ｍｍにして構成する。
【００２５】
また、さらにアース線１７に被覆する絶縁シース１５の厚さを０．６４ｍｍ〜２．０ｍｍにしてアース線付平型ケーブル１０を構成する。
【００２６】
このブリッジ部１８の長さＣと厚さＤ、アース線１７の絶縁シース１５の厚さＥの構成上の加減は、表２に示す如き関係を有しており、ブリッジ部１８の切り裂き荷重は、ブリッジ部１８の厚さＤとの関係が表３に示す如きものとなっている。
【表２】
2006066218.tif 000004
【表３】
2006066218.tif 000005
【００２７】
この表２から、ブリッジ部１８の長さＣは、表１のブリッジ部９の長さＡと同じく、最小値が０．３ｍｍで、最大値が１．５ｍｍ、そして、最適値が、０．７ｍｍである。また、表２から、ブリッジ部１８の厚さＤは、表１のブリッジ部９の厚さＢと同じく、最小値が０．５ｍｍで、最大値が１．５ｍｍ、そして、最適値が、０．７ｍｍである。
【００２８】
また、表２から、アース線１７の絶縁シース１５の厚さＥは、最小値が０．６４ｍｍで、最大値が２．０ｍｍである。そして、アース線１７の絶縁シース１５の厚さＥの最適値は、１．０ｍｍである。
【００２９】
ここで、ブリッジ部１８の長さＣを、０．３ｍｍ〜１．５ｍｍとしたのは、ブリッジ部９の長さＡを、０．３ｍｍ〜１．５ｍｍとしたのと同じ理由である。そして、ブリッジ部１８の長さＣが１．５ｍｍを超えると、アース線１７の絶縁シース１５の厚さが最小値である０．６４ｍｍであってもステップルＮｏ４（３×２．６用）に入らないからである。
【００３０】
また、ブリッジ部１８の厚さＤを、０．５ｍｍ〜１．５ｍｍとしたのは、ブリッジ部９の厚さＢを、０．５ｍｍ〜１．５ｍｍとしたのと同じ理由である。このブリッジ部１８の厚さＤに対する引き裂き荷重は、表３から明らかなように、ブリッジ部１８の厚さＤが、０．５ｍｍのときが、１８Ｎ、ブリッジ部１８の厚さＤが、０．７ｍｍのときが、２３Ｎ、ブリッジ部１８の厚さＤが、１．５ｍｍのときが、４０Ｎと、ブリッジ部１８の厚さＤが０．５ｍｍのときが、最も引き裂き荷重が低いことが分かる。
【００３１】
そして、アース線１７の絶縁シース１５の厚さＥは、最小値が０．６４ｍｍで、最大値が２．０ｍｍである。そして、アース線１７の絶縁シース１５の厚さＥの最適値は、１．０ｍｍである。このことから、アース線１７の絶縁シース１５の厚さＥは、０．６４ｍｍ〜２．０ｍｍで構成することができ、最適値が、１．０ｍｍであることが分かる。このアース線１７の絶縁シース１５の厚さＥを０．６４ｍｍ〜２．０ｍｍとしたのは、アース線１７の絶縁シース１５の厚さＥの最小値の０．６４ｍｍ未満では、ブリッジ部１８の厚さＤが最適値（０．７ｍｍ）の際、手でブリッジ部１８を切り裂こうとすると、ブリッジ部１８よりもアース線１７の絶縁シース１５が先に引きちぎられてしまうからである。また、アース線１７としての絶縁シース１５の厚さＥの最小値を０．６４ｍｍとしたのは、アース線１７としての絶縁シース１５の厚さＥとして法律上で規制された厚さであるからである。
【００３２】
また、アース線１７の絶縁シース１５の厚さＥを２．０ｍｍ以下としたのは、アース線１７の絶縁シース１５の厚さＥが２．０ｍｍを超えると、アース線１７の絶縁シース１５の厚さが最小値である０．６４ｍｍであってもステップルＮｏ４（３×２．６用）に入らないからである。さらに、アース線１７の絶縁シース１５の厚さＥを２．０ｍｍ以下としたのは、アース線１７の絶縁シース１５の厚さＥが２．０ｍｍを超えて被覆しても、コストがかかるだけで、技術面から利点が得られない上、アース線１７の絶縁シース１５の厚さＥが２．０ｍｍを超えると、絶縁シース１５を剥離する器具であるストリッパーで絶縁シース１５の剥離がし難くなるからである。
【００３３】
したがって、本実施例によれば、ブリッジ部１８を電工ナイフやカッターを使用することなく引き裂くことができ、電工ナイフやカッターによる事故の心配が無く、安全である。また、本実施例によれば、ブリッジ部１８を切り裂く場合、電工ナイフやカッターを使用しないため、アース線１７の絶縁シース１５を傷つけることなく、絶縁シース１５の形状を保つことができる。さらに、本実施例によれば、アース線１７には絶縁シース１５しか被覆されていないため、１回の剥離作業でアース用導体１４を露出させることができる。またさらに、本実施例によれば、分電盤等に配線する場合、通常アース線１７は別の場所に一括して配線するため、余分な部分まで絶縁シース１５を剥離する必要がないと共に、アース線１７だけ分離することができるので配線時の施工性を向上させることができる。
【図面の簡単な説明】
【００３４】
【図１】本発明に係るアース線付平型ケーブルの第１の実施例を示す端面図。
【図２】本発明に係るアース線付平型ケーブルの第２の実施例を示す端面図。
【符号の説明】
【００３５】
１…………………アース線付平型ケーブル
２…………………導体
３…………………絶縁体
４…………………絶縁導体
５…………………アース用導体
６…………………絶縁シース
７…………………平型ケーブル
８…………………アース線
９…………………ブリッジ部
１０………………アース線付平型ケーブル
１１………………導体
１２………………絶縁体
１３………………絶縁導体
１４………………アース用導体
１５………………絶縁シース
１６………………平型ケーブル
１７………………アース線
１８………………ブリッジ部
【図１】
2006066218.tif 000006
【図２】
2006066218.tif 000007